(57)【要約】【課題】静粛性を有し、コンパクトで、かつ施工及びメンテナンスを容易に行なうことが洗浄水供給装置を提供する【解決手段】洗浄水供給装置１０１は、導水管１０と、導水管１０を開閉する第１開閉弁Ｖ１とを備え、洗浄水を便器本体１の便鉢２に供給する。また、洗浄水供給装置１０１は、第１開閉弁Ｖ１より下流側で導水管１０に接続されたエゼクタ３０と、エゼクタ３０の導出口３２に接続され、貯留した洗浄水を流出口２２から流出可能なタンク２０であって、流入室２５と、流入室２５と底部で連通された流出室２６と、流入室２５に連通する大気口２３とを有するタンク２０と、大気口２３を開閉する第２開閉弁Ｖ２と、流出口２２と便鉢２とを連通する送出管４０と、第１開閉弁Ｖ１及び第２開閉弁Ｖ２を制御する制御装置Ｃとをさらに備えている。流入室２５は旋回室２９を含み、旋回室２９内で洗浄水を旋回させるノズル５０が設けられている。【選択図】図３
2008223357.tif 000002
【特許請求の範囲】
【請求項１】
導水管と、該導水管を開閉する第１開閉弁とを備え、洗浄水を便器本体の便鉢に供給する洗浄水供給装置において、
前記第１開閉弁より下流側で前記導水管に導入口が接続され、導出口から洗浄水を導出することにより、外部に開口する吸気口から空気を吸引するエゼクタと、
該導出口に流入口が接続され、貯留した洗浄水を流出口から流出可能なタンクであって、該流入口と連通する流入室と、該流入室と底部で連通された流出室と、該流入室に連通する大気口とを有する該タンクと、
該大気口を開閉する第２開閉弁と、
該流出口と前記便鉢とを連通する送出管と、
該第１開閉弁及び該第２開閉弁を制御する制御手段とをさらに備え、
該流入室は旋回室を含み、該エゼクタの該導出口に連通し該旋回室内で洗浄水を旋回させるノズルが設けられていることを特徴とする洗浄水供給装置。
【請求項２】
前記旋回室は、前記流入室内に設けられ、設置時に上下方向に延びる円筒によって構成されている請求項１記載の洗浄水供給装置。
【請求項３】
前記円筒は、下方に向かって徐々に縮径している請求項２記載の洗浄水供給装置。
【請求項４】
前記タンクは、前記旋回室の上方に設けられた遮蔽板を有する請求項１乃至３のいずれか１項記載の洗浄水供給装置。
【請求項５】
前記タンクは、前記便鉢の後方かつ該便鉢の上面より下方に配置されている請求項１乃至４いずれか１項記載の洗浄水供給装置。
【発明の詳細な説明】
【技術分野】
【０００１】
本発明は洗浄水供給装置に関する。
【背景技術】
【０００２】
特許文献１の図１に従来の洗浄水供給装置が開示されている。この洗浄水供給装置は、水道管と接続される導水管と、導水管に接続されたエゼクタとを備えている。エゼクタの導入口は導水管に接続され、エゼクタの導出口は蓄圧タンクの流入口に接続され、エゼクタの吸気口は外部に開口している。蓄圧タンクの流出口は開閉弁を介して便器本体の便鉢に接続されている。
【０００３】
このような構成である従来の洗浄水供給装置では、エゼクタが吸引した空気は、洗浄水中の気泡となって蓄圧タンク内に送られる。その気泡は、蓄圧タンク内で分離され、蓄圧タンクの上部に滞留し、圧縮される。その後、開閉弁を開弁すると、蓄圧タンクの上部で圧縮された空気により、洗浄水が勢い良く流出口から流出し、便器本体の便鉢に供給される。気泡が混入した洗浄水が流出口から流出するまで、開閉弁の開弁状態が継続される。こうして少量の洗浄水で確実に便鉢を洗浄することができる。
【０００４】
【特許文献１】特開昭５８−１３８３８号公報
【発明の開示】
【発明が解決しようとする課題】
【０００５】
しかし、上記従来の洗浄水供給装置では、便鉢に供給される洗浄水が気泡を混入するため、便鉢に供給される際に気泡が破裂して生じる破裂音等の異音が発生する。
【０００６】
また、蓄圧タンクが開閉弁より上流側に配置されているため、蓄圧タンクに静水時の水道水圧がかかる。このため、蓄圧タンクはその水道水圧に耐え得る耐圧性能を有する必要がある。また、蓄圧タンクの流入口及び流出口に導水管を接続する際も水道水圧に耐え得るように強固に接続しなければならない。このため、洗浄水供給装置は、小型化が困難であり、施工及びメンテナンスに手間を要する。
【０００７】
本発明は、上記従来の実情に鑑みてなされたものであって、静粛性を有するとともに、コンパクトで、かつ施工及びメンテナンスを容易に行なうことができる洗浄水供給装置を提供することを解決すべき課題としている。
【課題を解決するための手段】
【０００８】
本発明の洗浄水供給装置は、導水管と、該導水管を開閉する第１開閉弁とを備え、洗浄水を便器本体の便鉢に供給する洗浄水供給装置において、
前記第１開閉弁より下流側で前記導水管に導入口が接続され、導出口から洗浄水を導出することにより、外部に開口する吸気口から空気を吸引するエゼクタと、
該導出口に流入口が接続され、貯留した洗浄水を流出口から流出可能なタンクであって、該流入口と連通する流入室と、該流入室と底部で連通された流出室と、該流入室に連通する大気口とを有する該タンクと、
該大気口を開閉する第２開閉弁と、
該流出口と前記便鉢とを連通する送出管と、
該第１開閉弁及び該第２開閉弁を制御する制御手段とをさらに備え、
該流入室は旋回室を含み、該エゼクタの該導出口に連通し該旋回室内で洗浄水を旋回させるノズルが設けられていることを特徴とする。
【０００９】
このような構成である本発明の洗浄水供給装置では、エゼクタが外部から空気を吸引しながら旋回室に洗浄水が流入する。洗浄水中の空気は、旋回室内で遠心力により良好に分離され、空気は流入室の上部に滞留する。また、流出室はタンクの底部で流入室と連通している。このため、空気が流出室側に侵入することがなく、便鉢に供給される洗浄水は空気を殆んど含まないため、便鉢に供給される際に気泡が破裂して生じる破裂音等の異音の発生を防止することができる。
【００１０】
また、タンクの流入口が導水管を開閉する第１開閉弁より下流側に連通されているため、タンクに静水時の水道水圧がかかることがない。このため、タンクを耐圧性能の高いものにする必要がない。また、タンクの流入口及び流出口に導水管を接続する際も強固に接続する必要がない。
【００１１】
そして、第２開閉弁を開閉することにより、洗浄水をタンクへ貯留したり、タンクに貯留された洗浄水を流出させたりすることができる。つまり、洗浄水とともにエゼクタが吸引した空気は、タンクの流入室に流入する。この流入した空気は、第２開閉弁が開弁状態では大気口から排出されるが、閉弁状態では流入室の上部に滞留する。このため、第２開閉弁を開弁状態にすれば、タンクに空気が滞留することなく洗浄水のみが貯留される。一方、第２開閉弁を閉弁状態にすれば、タンク内の洗浄水は、流入室の上部に滞留する空気の増加にともない押し出される。このため、第２開閉弁の開閉タイミングを制御することにより、便鉢への洗浄水の単位時間当たりの供給量を任意のタイミングで増減させることができる。また、第２開閉弁は空気用の開閉弁であるため、水用の開閉弁に比べ、小型にでき、開閉動作を小さな力で行なうことができる。
【００１２】
したがって、本発明の洗浄水供給装置は、静粛性を有し、コンパクトで、かつ施工及びメンテナンスを容易に行なうことができる。
【００１３】
洗浄水供給装置は、エゼクタの吸気口を開閉させる第３開閉弁をさらに有しても良い。この場合、第３開閉弁を閉弁状態にすれば、エゼクタが空気を吸引しないため、エゼクタが空気を吸引する音をなくすことができる。また、これにより洗浄水中に空気が殆んど含まれないようになるため、洗浄水が便鉢に供給される際に洗浄水中の気泡が破裂して生じる破裂音等の異音の発生を防止することができる。このため、洗浄水供給装置のより静粛化を図ることができる。
【００１４】
本発明の洗浄水供給装置において、旋回室は、流入室内に設けられ、設置時に上下方向に延びる円筒によって構成されていることが好ましい。この場合、遠心力と重力とにより、より強力な旋回流が上下方向に形成されるため、洗浄水から空気がより良好に分離される。
【００１５】
本発明の洗浄水供給装置において、円筒は、下方に向かって徐々に縮径していることが好ましい。この場合、下方に向かうに従い円筒の径が小さくなるため、洗浄水の旋回力が下方において弱まり難い。このため、洗浄水から空気がさらに良好に分離される。
【００１６】
本発明の洗浄水供給装置において、タンクは、旋回室の上方に設けられた遮蔽板を有することが好ましい。この場合、洗浄水が旋回室から上方へ飛散することを防止でき、大気口等が水により塞がれることを防止することができる。
【００１７】
本発明の洗浄水供給装置において、タンクは、便鉢の後方かつ便鉢の上面より下方に配置されていることが好ましい。この場合、便鉢の後方かつ便鉢の上面より下方の空間を有効に利用することができる。そして、このタンクを含む洗浄水供給装置、ひいては水洗式便器の便器本体以外である便器洗浄装置が便器本体の後方上面において、便鉢の上面より上方に突出する高さを低くすることができる。
【００１８】
本発明の洗浄水供給装置において、便器本体の水封部の下流側に連通する便器排水路から空気を吸引する吸気装置を備え、エゼクタの吸気口を吸気装置に連通するようにしても良い。この場合、タンクに貯留された洗浄水を便鉢に供給するために空気を吸引する洗浄水供給装置のエゼクタと、便器排水路から空気を吸引する吸気装置の負圧発生手段としてのエゼクタとを同一のものにすることができる。このため、洗浄水供給装置の部品点数を削減し、構造を簡略化することができる。また、便器排水路から空気を吸引することにより、少ない洗浄水で早期にサイホン作用を発生させることができる。さらに、タンクに貯留した洗浄水を適切なタイミングで便鉢へ供給することにより、確実に汚物を便器排水路へ排出することができる。
【発明を実施するための最良の形態】
【００１９】
以下、本発明の洗浄水供給装置を洋風水洗式便器に具体化した実施例を図面を参照しつつ説明する。
【００２０】
図１に示すように、この洋風水洗式便器は、便器本体１と、洗浄水供給装置１００とを備えている。なお、便座及び便蓋の図示は省略する。
【００２１】
便器本体１は便鉢２の上部内周にリム３を有している。また、便器本体１には便鉢２の下端から上方に延びる上昇流路が形成され、便鉢２の下方には水封部４が形成されている。便器本体１の上昇流路は接続管と接続されており、接続管内は便器排水路５、滞留部６及び排水口７とされている。また、図７に示すように、便器本体１は、便鉢２の後方に上方が開口して左右及び後方が連続する側壁に囲まれた収納部１Ｓを有している。
【００２２】
また、図１に示すように、便器洗浄装置１００は、洗浄水供給装置１０１と、便器排水路５の吸気装置とを具備している。
【００２３】
洗浄水供給装置１０１は、水道管と接続される導水管１０と、導水管１０を開閉する第１開閉弁Ｖ１とを備えている。
【００２４】
導水管１０は、便器本体１が据え付けられるトイレルームの床面又は壁面から引き込まれた水道管の止水栓Ｖ５に連通している。また、第１開閉弁Ｖ１より上流側には、止水弁及びストレーナを内蔵するストレーナ装置１１と定流量弁１２とが設けられており、下流側にはバキューブブレーカ１３が設けられている。
【００２５】
また、バキュームブレーカ１３より下流側の導水管１０にエゼクタ３０の導入口３１が接続されている。エゼクタ３０の導出口３２にはタンク２０の流入口２１が接続され、タンク２０は貯留した洗浄水を流出口２２から流出可能になっている。タンク２０は第１開閉弁Ｖ１より下流側に接続されているため、タンク２０には静水時の水道圧がかからない。このため、タンク２０は耐圧性能の高いものにする必要がない。また、エゼクタ３０の導出口３２とタンク２０の流入口２１とを強固に接続する必要がない。
【００２６】
タンク２０は、便器本体１の収納部１Ｓ内であり、かつ便鉢２の上面より下方に配置されている。このため、タンク２０を含む洗浄水供給装置１０１、ひいては便器洗浄装置１００が便器本体１の後方上面において、便鉢２の上面より上方に突出する高さを低くすることができている。
【００２７】
タンク２０は、流入口２１に連通する流入室２５と、流入室２５と底部が連通され、流出口２２に連通する流出室２６とを有している。流入室２５には大気口２３が設けられ、ここには第２開閉弁Ｖ２が接続されている。流入室２５は、エゼクタ３０の導出口３２に連通するノズル５０から洗浄水が吐出され、旋回流が形成される旋回室２９を有する。流出口２２には、便器本体１のリム３まで延びる送出管４０が接続されている。便鉢２へ洗浄水を供給する供給路はこの経路のみである。
【００２８】
エゼクタ３０は外部に連通する吸気口３３を有している。この吸気口３３は導出口３２から洗浄水を導出することにより空気を吸引する。
【００２９】
便器排水路５の吸気装置は、以下の負圧蓄圧タンク７０及び吸引タンク８０等を有している。
【００３０】
エゼクタ３０の吸気口３３は、逆止弁１１１が設けられた第１導圧管１１０を介して負圧を蓄圧する負圧蓄圧タンク７０に接続されている。このため、洗浄水供給装置１０１を構成するエゼクタ３０が吸気装置にも利用されていることになり、便器洗浄装置１００の部品点数が削減され、構造の簡略化が図られている。
【００３１】
逆止弁１１１より負圧蓄圧タンク７０よりの第１導圧管１１０には、途中に第３開閉弁Ｖ３が設けられて外部に連通する第２導圧管１２０が分岐されている。また、途中に第４開閉弁Ｖ４が設けられ、便器排水路５から空気を吸引する吸引タンク８０に連通する第３導圧管１３０が分岐されている。
【００３２】
吸引タンク８０の内部は、設置時の上下方向で移動可能な隔膜８３によって第１室８１と第２室８２とに区画されている。第１室８１は第３導圧管１３０に接続され、第２室８２は吸引管９０によって便器排水路５に接続されている。
【００３３】
図２に示すように、第１開閉弁Ｖ１、第２開閉弁Ｖ２、第３開閉弁Ｖ３及び第４開閉弁Ｖ４は制御装置Ｃにより開閉タイミング及び開閉時間が制御されている。第２開閉弁Ｖ２、第３開閉弁Ｖ３及び第４開閉弁Ｖ４は、空気用の開閉弁であるため、水用の開閉弁に比べ、小型にされ、開閉動作を小さな力で行なうことができるようになっている。
【００３４】
この実施例の特徴的な構成であるタンク２０についてより詳細に説明する。このタンク２０は、図３及び図４に示すように、容器状のタンク本体２７と、タンク本体２７を上方からパッキン２０ｐを挟持して密閉する蓋部材２８とを有している。
【００３５】
蓋部材２８に流入口２１、流出口２２及び大気口２３が形成されている。タンク本体２７内は、流入口２１及び大気口２３に連通する流入室２５と、流入室２５と底部で連通され、流出口２２に連通する流出室２６とを有している。
【００３６】
また、図５に示すように、タンク本体２７は平面視が横長楕円形状の容器である。タンク本体２７の内底面には、上方に突出する係合凸部２７ａが形成されている。タンク本体２７内には流入室２５及び流出室２６が形成されている。流入室２５内には、設置時に上下方向に延び、係合凸部２７ａと嵌合する円筒体２９ｔによって旋回室２９が構成されている。また、流出室２６は、設置時に上下方向に延び、係合凸部２７ａと嵌合する小円筒体２６ｔによって構成されている。旋回室２９の上方端部には、図３に示すように、中央部に開口６０ａを有する椀状の遮蔽板６０が係止されている。遮蔽板６０の開口６０ａは、遮蔽板６０の上方に位置する洗浄水を下方に導くとともに、旋回室２９内で洗浄水から分離される空気を遮蔽板６０の上方に導く役割を果たす。
【００３７】
旋回室２９の内部には、図４に示すように、ノズル５０が設けられている。ノズル５０は、エゼクタ３０の導出口３２に連通し、旋回室２９内で洗浄水を旋回させるように円筒体２９ｔの内面に沿って開口している。
【００３８】
また、図６に示すように、円筒体２９ｔの下端と小円筒体２６ｔの下端とは連通しており、タンク本体２７の底部で旋回室２９から流出室２６に延びる連通路２９ｒを構成している。連通路２９ｒは、旋回室２９内に生じた旋回流の勢いを利用して洗浄水が流出室２６に流入するように、円筒体２９ｔの接線方向に延びている。円筒体２９ｔの下端には流入室２５と連通する開口２９ａが形成されている。このため、流入室２５内の洗浄水は、この開口２９ａから旋回室２９内に流入し、旋回室２９内で旋回する洗浄水とともに流出室２６に流入する。
【００３９】
旋回室２９内に流入した洗浄水は、遠心力と重力とにより強力な旋回流を上下方向に形成し、洗浄水中の空気を旋回室２９内で良好に分離する。分離された空気は流入室２９の上部に滞留する。また、流出室２６はタンク本体２７の底部で流入室２５と連通している。このため、空気が流出室２６側に侵入することがなく、便鉢２に供給される洗浄水は空気を殆んど含まないため、便鉢２に供給される際に気泡が破裂して生じる破裂音等の異音の発生を防止することができる。
【００４０】
以上の洋風水洗式便器では、洗浄水供給装置１０１は、導水管１０、ストレーナ装置１１、定流量弁１２、第１開閉弁Ｖ１、バキューブブレーカ１３、エゼクタ３０、ノズル５０、タンク２０、第２開閉弁Ｖ２、送出管４０、第１導圧管１１０、第２導圧管１２０、第３開閉弁Ｖ３及び制御装置Ｃによって構成されている。便器排水路５の吸気装置は、エゼクタ３０、第１導圧管１１０、逆止弁１１１、負圧蓄圧タンク７０、第２導圧管１２０、第３開閉弁Ｖ３、第３導圧管１３０、第４開閉弁Ｖ４、吸引タンク８０、吸引管９０及び制御装置Ｃによって構成されている。
【００４１】
したがって、実施例の洗浄水供給装置１０１は、静粛性を有し、コンパクトで、かつ施工及びメンテナンスを容易に行なうことができる。
【００４２】
次に、本発明の洗浄水供給装置１０１を組み込んだ便器洗浄装置１００の作動について説明する。
【００４３】
［非洗浄時（図１）］
図１４において、ｔ１時点によりも前の非洗浄時には、第１開閉弁Ｖ１、第２開閉弁Ｖ２、第３開閉弁Ｖ３及び第４開閉弁Ｖ４は閉弁している。この状態では、タンク２０内には洗浄水が貯留されている。吸引タンク８０内の隔膜８３は吸引タンク８０内の下内壁面に当接している。
【００４４】
［便鉢洗浄行程・負圧蓄圧行程（図８）］
用便後、図１４のｔ１時点において、制御装置Ｃに便器洗浄の開始信号を送信する洗浄スイッチを使用者が操作することにより、制御装置Ｃによって第１開閉弁Ｖ１が開弁する。
【００４５】
これにより、導水管１０内を流れる洗浄水はエゼクタ３０を通って旋回室２９内に流入する。エゼクタ３０内を洗浄水が流れることにより、エゼクタ３０が負圧蓄圧タンク７０内の空気を第１導圧管１１０及び逆止弁１１１を介して吸引し、吸引された空気は洗浄水とともに旋回室２９内に流入する。旋回室２９内では洗浄水が旋回するため、洗浄水中の空気は、良好に分離され、流入室２５の上部に蓄積される。これにより、負圧蓄圧タンク７０内に負圧が徐々に蓄積されるとともに、負圧蓄圧タンク７０から吸引した空気の分だけ流入室２５の水面が徐々に下がる。
【００４６】
また、導水管１０から供給された洗浄水と、タンク２０内に貯留され、負圧蓄圧タンク７０から吸引した空気に応じた量の洗浄水とが送出管４０を介してリム３に供給される。リム３に供給された洗浄水は便鉢２の内面に沿って旋回しながら流れ落ち、便鉢２内に旋回流が形成される。この旋回流により、汚物は便鉢２の中央に集められる。なお、この旋回流により、ペーパーは、ほぐれて洗浄水となじみ、洗浄水中に分散する。
【００４７】
［吸気行程（図９）］
図１４のｔ２時点において、制御装置Ｃによって第４開閉弁Ｖ４が開弁される。これにより、負圧蓄圧タンク７０内の負圧が第１導圧管１１０、第３導圧管１３０及び第４開閉弁Ｖ４を介して吸引タンク８０の第１室８１に伝達され、第１室８１内が負圧になる。また、エゼクタ３０内には引き続き洗浄水が供給されているため、エゼクタ３０によっても第１室８１内の空気が吸引される。これにより、吸引タンク８０内の隔膜８３は、第４開閉弁Ｖ４が開弁された当初は負圧蓄圧タンク７０内の負圧により急激に引き上げられ、その後、エゼクタ３０により吸引タンク８０の上内壁面に当接するまで緩やかに引き上げられる。
【００４８】
吸引タンク８０により便器排水路５内の空気を第２室８２に吸引する際には、便鉢２内の水位はリム３から供給された洗浄水によって十分に高くなっており、水封部４の最高位部４ａとの間の水頭差が十分に大きなものとなっている。このため、便鉢２内の洗浄水は、この水頭差と便器排水路５内の空気の吸引とにより、早期に便器排水路５内が洗浄水で満水状態になって強力なサイホン作用が発生し、少ない洗浄水で早期に排出流が形成される。
【００４９】
この際、便鉢２内に形成された旋回流により便鉢２の中央に集められた汚物は、サイホン作用により便器排水路５へ排水される洗浄水に伴って、便器排水路５へ確実に排出される。
【００５０】
また、便器排水路５は、滞留部６によって下流側と封鎖され、便器排水路５は水封部４と滞留部６との間に存在する閉空間にされている。このため、確実に便器排水路５から一定量の空気を吸引することができるため、サイホン作用を安定して発生させることができる。
【００５１】
また、吸引タンク８０内が隔膜８３によって第１室８１と第２室８２とに区画され、第２室８２のみが便器排水路５と連通しているため、汚物を含んだ洗浄水や臭気を含んだ空気等が負圧蓄圧タンク７０やエゼクタ３０側へ入り込むことを確実に防止している。
【００５２】
［洗浄水増加行程（図１０）」
図１４のｔ３時点において、便鉢２の水位は便鉢２後部の最低位部２ａの高さ近傍にまで低下しており、この瞬間、制御装置Ｃによって第３開閉弁Ｖ３を開弁し、第４開閉弁Ｖ４を閉弁する。
【００５３】
この際、いまだエゼクタ３０内に洗浄水が供給されているため、外部の大量の空気が第３開閉弁Ｖ３、第２導圧管１２０及び第１導圧管１１０を介して旋回室２９内に流入する。このため、流入室２５内の洗浄水は、流入した大量の空気により流出室２６及び送出管４０を介してリム３に押し出される。これにより、流入室２５内の水位は急激に大きく低下する。
【００５４】
便鉢２内の水位が便鉢２後部の最低位部２ａより低くなり、便器排水路５に便鉢２から空気が流入してサイホン作用が終了する前において、こうしてリム３に供給される洗浄水が増加する。つまり、リム３から供給される洗浄水は、導水管１０から供給される洗浄水とタンク２０に貯留されていた洗浄水とを加えたものであるため、便鉢２への単位時間当たりの洗浄水の供給水量は多くなっている。このため、水封部４は破封せず、便鉢２内の洗浄水は旋回を継続し、サイホン作用も継続する。また、便鉢２内の旋回流も強力になる。さらに、洗浄水の水勢も増加する。このため、便鉢２内に残留する汚物は、便器排水路５内へ押し出されるようにより確実に排出される。
【００５５】
［隔膜の戻し行程（図１１）］
図１４のｔ４時点において、制御装置Ｃによって第１開閉弁Ｖ１を閉弁し、第４開閉弁Ｖ４を開弁する。これにより、吸引タンク８０の第１室８１が第４開閉弁Ｖ４、第３導圧管１３０、第１導圧管１１０、第２導圧管１２０及び第３開閉弁Ｖ３を介して外部と連通するため、第１室８１内が大気圧になり、隔膜８３が下降する。このため、便器排水路５内に第２室８２から空気が徐々に押し込まれ、便器排水路５内において徐々に空気が増加する。このため、便器排水路５を洗浄水で満水にする状態が維持できず、サイホン作用が終了する。
【００５６】
［覆水行程（図１２）］
図１４のｔ５時点において、制御装置Ｃによって第１開閉弁Ｖ１及び第２開閉弁Ｖ２を開弁し、第４開閉弁Ｖ４を閉弁する。これにより、エゼクタ３０が外部から空気を吸引しながら旋回室２９に洗浄水が流入する。洗浄水中の空気は、旋回室２９内で良好に分離され、大気口２３、第２開閉弁Ｖ２を介して外部に放出される。このため、タンク２０内の洗浄水は洗浄開始前の所定の水位まで蓄積される。また、流出室２６から送出管４０を介して洗浄水がリム３に供給され、便鉢２内に洗浄水が溜まり覆水する。
【００５７】
［大気開放行程（図１３）］
図１４のｔ６時点において、制御装置Ｃによって第１開閉弁Ｖ１が閉弁し、第４開閉弁Ｖ４が開弁する。これにより、再度、吸引タンク８０の第１室８１が第４開閉弁Ｖ４、第３導圧管１３０、第１導圧管１１０、第２導圧管１２０及び第３開閉弁Ｖ３を介して外部と連通し、隔膜８３が吸引タンク８０の下内壁面に当接するまで下降する。この結果、隔膜８３が洗浄前の所定の位置に戻され、次回の洗浄を安定して行なうことができる。その後、図１４のｔ７時点において、制御装置Ｃによって第２開閉弁Ｖ２、第３開閉弁Ｖ３及び第４開閉弁Ｖ４が閉弁される。
【００５８】
上記実施例は本発明の一例であり、本発明は上記実施例に限定されるものではない。
【００５９】
例えば、図１５に示すように、旋回室２９の円筒２９ｔを下方に向かって徐々に縮径するようにしてもよい。この場合、下方に向かうに従い円筒２９ｔの径が小さくなるため、洗浄水の旋回力が下方において弱まり難い。このため、洗浄水から空気がさらに良好に分離される。
【００６０】
また、図１４のｔ５時点において、制御装置Ｃによって第３開閉弁を閉弁してもよい。この場合、洗浄水がエゼクタ３０を通過する際に空気を吸引しないため、エゼクタ３０が空気を吸引する音をなくすことができる。また、洗浄水中に空気が殆んど含まれないようになるため、覆水のため便鉢２に供給される洗浄水中の気泡が破裂して生じる破裂音等の異音の発生を防止することができる。
【産業上の利用可能性】
【００６１】
本発明は水洗式便器に利用可能である。
【図面の簡単な説明】
【００６２】
【図１】実施例の洗浄水供給装置を備えた洋風水洗式便器の模式図である。
【図２】実施例の洗浄水供給装置の制御装置を示す模式図である。
【図３】実施例の洗浄水供給装置のタンクを示す断面図である。
【図４】実施例の洗浄水供給装置のタンクの要部を示す断面図である。
【図５】図３のＡ−Ａ矢視断面図である。
【図６】図３のＢ−Ｂ矢視断面図である。
【図７】便器本体に実施例の洗浄水供給装置のタンクを組み込んだ状態を示す概略図である。
【図８】実施例の洋風水洗式便器が便鉢洗浄・負圧蓄圧行程にあるときの作動状態を示す模式図である。
【図９】実施例の洋風水洗式便器が吸気行程にあるときの作動状態を示す模式図である。
【図１０】実施例の洋風水洗式便器が洗浄水増加行程にあるときの作動状態を示す模式図である。
【図１１】実施例の洋風水洗式便器が隔膜の戻し行程にあるときの作動状態を示す模式図である。
【図１２】実施例の洋風水洗式便器が覆水行程にあるときの作動状態を示す模式図である。
【図１３】実施例の洋風水洗式便器が大気開放行程にあるときの作動状態を示す模式図である。
【図１４】実施例の洋風水洗式便器の作動を説明するタイミングチャートである。
【図１５】他の実施例の洗浄水供給装置のタンクを示す断面図である。
【符号の説明】
【００６３】
１…便器本体
２…便鉢
１０…導水管
２０…タンク
２１…流入口
２２…流出口
２３…大気口
２５…流入室
２６…流出室
２７…タンク本体
２８…蓋部材
２９…旋回室
２９ｔ…円筒
３０…エゼクタ
３１…導入口
３２…導出口
３３…吸気口
４０…送出管
５０…ノズル
Ｖ１…第１開閉弁
Ｖ２…第２開閉弁
Ｃ…制御装置
【図１】
2008223357.tif 000003
【図２】
2008223357.tif 000004
【図３】
2008223357.tif 000005
【図４】
2008223357.tif 000006
【図５】
2008223357.tif 000007
【図６】
2008223357.tif 000008
【図７】
2008223357.tif 000009
【図８】
2008223357.tif 000010
【図９】
2008223357.tif 000011
【図１０】
2008223357.tif 000012
【図１１】
2008223357.tif 000013
【図１２】
2008223357.tif 000014
【図１３】
2008223357.tif 000015
【図１４】
2008223357.tif 000016
【図１５】
2008223357.tif 000017